(57)【特許請求の範囲】
【請求項１】
入力信号から二進信号を生成する二進信号生成部と、
少なくとも２つのウインドウ長を利用し、前記入力信号と前記二進信号との関係からレベル情報を抽出するレベル情報抽出部と、
前記抽出されたレベル情報に基づいて、前記入力信号の品質を演算する品質演算部とを含み、
前記少なくとも２つのウインドウ長は、前記入力信号の最大ランレングスと最小ランレングスとによって決定され、
前記レベル情報抽出部は、前記少なくとも２つのウインドウ長に対応するサブレベル情報抽出部とを含むことを特徴とする
信号品質測定装置。
【請求項２】
前記少なくとも２つのウインドウ長は、チャネル特性によって設定されることを特徴とする請求項１に記載の信号品質測定装置。
【請求項３】
前記二進信号生成部は、
適応的な基準レベルによって、前記入力信号を等化する適応的等化器と、
前記適応的な基準レベルによって、前記適応的な等化器から出力される信号から二進信号を出力するビタビ・デコーダと、
前記入力信号と、前記ビタビ・デコーダによって生成された二進信号とを利用し、前記適応的な基準レベルを生成する適応的基準レベル生成器と、を含むことを特徴とする請求項１に記載の信号品質測定装置。
【請求項４】
前記レベル情報抽出部は、前記少なくとも２つのウインドウ長それぞれで、二進信号の両端が１であり、中間部分が０で満たされたランレングス・パターンのレベル情報と、二進信号の両端が０であり、中間部分が１で満たされたランレングス・パターンを有するレベル情報と、を抽出することを特徴とする請求項１ないし請求項３のうち、いずれか一項に記載の信号品質測定装置。
【請求項５】
前記レベル情報抽出部は、入力信号から前記少なくとも２つのウインドウ長それぞれより２ほど小さいランレングスを有する入力信号を選択し、前記選択された入力信号の平均値を得て、前記レベル情報を抽出することを特徴とする請求項１ないし請求項３のうち、いずれか一項に記載の信号品質測定装置。
【請求項６】
前記少なくとも２つのウインドウ長は、それぞれ１０と４であることを特徴とする請求項１ないし請求項３のうち、いずれか一項に記載の信号品質測定装置。
【請求項７】
前記少なくとも２つのウインドウ長は、それぞれ５と１１であることを特徴とする請求項１ないし請求項３のうち、いずれか一項に記載の信号品質測定装置。
【請求項８】
前記レベル情報抽出部は、入力信号から二進信号を生成するときに使われたサンプリング方式によって、ウインドウ長４及びウインドウ長１０と、ウインドウ長５とウインドウ長１１とを選択的に使用し、レベル情報を抽出することを特徴とする請求項１ないし請求項３のうち、いずれか一項に記載の信号品質測定装置。
【請求項９】
前記サンプリング方式が０点を含んだ場合には、４と１０とのウインドウ長を使用し、レベル情報を抽出し、前記サンプリング方式が０点を含まない場合には、５と１１とのウインドウ長を使用し、レベル情報を抽出することを特徴とする請求項８に記載の信号品質測定装置。
【請求項１０】
入力信号から二進信号を生成する段階と、
少なくとも２つのウインドウ長を利用し、前記入力信号と前記二進信号との関係からレベル情報を抽出する段階と、
前記抽出されたレベル情報に基づいて、入力信号の品質を演算する段階と、
を含み、
前記少なくとも２つのウインドウ長は、前記入力信号の最大ランレングスと最小ランレングスとによって決定され、
前記レベル情報を抽出する段階は、
前記少なくとも２つのウインドウ長に対応するサブレベル情報抽出部を使って前記入力信号と前記二進信号の入力を選択的に伝送する段階とを含むことを特徴とする
信号品質測定方法。
【請求項１１】
前記少なくとも２つのウインドウ長は、チャネル特性によって設定されることを特徴とする請求項１０に記載の信号品質測定方法。
【請求項１２】
前記二進信号生成段階は、
適応的な基準レベルによって、前記入力信号を適応的に等化する段階と、
前記適応的な基準レベルによって、前記適応的に等化された入力信号から二進信号を生成するために、ビタビ・デコーディングを行う段階と、
前記入力信号と、前記ビタビ・デコーディングを行って生成された前記二進信号と、を利用し、前記適応的な基準レベルを生成する段階と、を含むことを特徴とする請求項１０に記載の信号品質測定方法。
【請求項１３】
前記レベル情報抽出段階は、前記少なくとも２つのウインドウ長それぞれで、二進信号の両端が１であり、中間部分が０で満たされたランレングス・パターンのレベル情報と、二進信号の両端が０であり、中間部分が１で満たされたランレングス・パターンを有するレベル情報と、を抽出することを特徴とする請求項１０ないし請求項１２のうち、いずれか一項に記載の信号品質測定方法。
【発明の詳細な説明】
【技術分野】
【０００１】
本発明は、入力信号（input  signal）の品質測定（quality  measuring）に係り、特に、入力信号と、入力信号から生成された二進信号（binary  signal）との関係によって抽出された入力信号のレベル情報（level  information）に基づいて、入力信号の品質を測定する装置及び方法に関する。
【背景技術】
【０００２】
光ディスクのような記録媒体は、二進信号が記録されている。しかし、ディスクから読み取ったＲＦ（radio  frequency：無線周波数）信号は、ディスクの特性と光学的な特性とによってアナログ信号の性質を有するが、記録密度が上昇するにつれて、ＲＦ信号のサイズが小さくなり、若干のノイズが添加されても、再生信号の歪曲が大きくなる。
【０００３】
従って、高密度光ディスクを使用する光機器分野では、再生信号の品質を向上させるために、アナログ形態を有する入力信号（または、ＲＦ信号）とその二進信号との関係を基に、入力信号の品質を測定する技術が提案されている。
【０００４】
特に、入力信号と入力信号の二進信号との関係から、入力信号のレベル情報を抽出し、抽出された入力信号のレベル情報に基づいて、入力信号の品質を測定する技術が提案されている。しかし、チャネル特性によって、短い周期信号の振幅と長い周期信号の振幅とが異なり、このようなチャネル特性によって、入力信号の品質を測定することができる技術が関連分野にはない。
【０００５】
関連技術の公開特許情報としては、特許文献１、特許文献３及び特許文献３がある。
【先行技術文献】
【特許文献】
【０００６】
【特許文献１】ＵＳ  Ｐｕｂ．Ｎｏ．２００７／０２３４１８８号公報（公開日：２００７年１０月４日）
【特許文献２】ＵＳ  ＰａｔｅｎｔＮｕｍｂｅｒ５，４９０，１２７号明細書（公開日１９９６年２月６日）
【特許文献３】ＵＳ  Ｐｕｂ．Ｎｏ．２００５／０１２８９１８（公開日２００５年６月１６日）
【発明の概要】
【発明が解決しようとする課題】
【０００７】
本発明は、チャネル特性によって抽出された入力信号のレベル情報に基づいて、入力信号の品質を測定する装置及び該方法を提供する。
【課題を解決するための手段】
【０００８】
本発明の一実施形態による装置は、入力信号から二進信号を生成する二進信号生成部と、少なくとも２つのウインドウ長を利用し、前記入力信号と前記二進信号との関係からレベル情報を抽出するレベル情報抽出部と、前記抽出されたレベル情報に基づいて、前記入力信号の品質を演算する品質演算部と、を含む信号品質測定装置を提供する。前記少なくとも２つのウインドウ長は、チャネル特性によって設定されることが望ましい。前記少なくとも２つのウインドウ長は、前記入力信号の最大ランレングスと最小ランレングスとによって決定されうる。
【０００９】
前記二進信号生成部は、適応的な基準レベルによって、前記入力信号を等化する適応的等化器と、前記適応的な基準レベルによって、前記適応的な等化器から出力される信号から二進信号を出力するビタビ・デコーダと、前記入力信号と、前記ビタビ・デコーダによって生成された二進信号とを利用し、前記適応的な基準レベルを生成する適応的基準レベル生成器と、を含むことができる。
【００１０】
前記レベル情報抽出部は、各ウインドウ長で、両端が１であり、中間部分が０で満たされた二進信号のランレングス・パターンのレベル情報と、両端が０であり、中間部分が１で満たされた二進信号のランレングス・パターンのレベル情報と、を抽出することができる。
【００１１】
前記レベル情報抽出部は、入力信号から、前記ウインドウ長より２ほど小さいランレングスを有する信号を選択し、前記選択された信号の平均値を得て、前記レベル情報を抽出することができる。前記少なくとも２つのウインドウ長は、それぞれ１０と４とでありうる。
【００１２】
前記レベル情報抽出部は、少なくとも２つのウインドウ長５とウインドウ長１１とを利用し、前記品質演算に必要なレベル情報を抽出することができる。
【００１３】
前記レベル情報抽出部は、入力信号から二進信号を生成するときに使われたサンプリング方式によって、ウインドウ長４及びウインドウ長１０と、ウインドウ長５及びウインドウ長１１とを選択的に使用し、レベル情報を抽出することができる。前記サンプリング方式が０点を含んだ場合には、ウインドウ長４とウインドウ長１０とを基に、レベル情報を抽出し、前記サンプリング方式が０点を含まない場合には、ウインドウ長５とウインドウ長１１とを基に、レベル情報を抽出することができる。
【００１４】
本発明の一実施形態による方法は、入力信号から二進信号を生成する段階と、少なくとも２つのウインドウ長を利用し、前記入力信号と前記二進信号との関係からレベル情報を抽出する段階と、抽出されたレベル情報に基づいて、入力信号の品質を演算する段階と、を含む信号品質測定方法を提供する。
【００１５】
前記二進信号生成段階は、適応的な基準レベルによって、前記入力信号を適応的に等化する段階と、前記適応的な基準レベルによって、前記適応的に等化された入力信号から二進信号を生成するために、ビタビ・デコーディング動作を行う段階と、前記入力信号と、前記ビタビ・デコーディング動作遂行によって生成された前記二進信号と、を利用し、前記適応的な基準レベルを生成する段階と、を含むことができる。
【００１６】
本発明の一実施形態による信号品質推定方法を行うことができるプログラムが記録されたコンピュータで読み取り可能な記録媒体において、前記記録媒体の欠陥補償方法は、前述の光機器の記録媒体の欠陥補償方法と共に行われることを特徴とする記録媒体を提供する。
【図面の簡単な説明】
【００１７】
【図１】本発明の望ましい一実施形態による信号品質測定装置の機能ブロック図である。
【図２】図１に図示された二進信号生成部の具現例である。
【図３】図２に図示された適応的基準レベル生成器の一例である。
【図４】図１に図示されたレベル情報抽出部の一例である。
【図５】図４に図示されたレベル情報抽出部に対応する品質演算部の一例である。
【図６】図４のレベル情報抽出部の具体的な実施形態である。
【図７】図６のレベル情報抽出部に対応する品質演算部の具体的な実施形態である。
【図８】図１に図示されたレベル情報抽出部の他の例である。
【図９】図８のレベル情報抽出部に対応する品質演算部の一例である。
【図１０】図８のレベル情報抽出部の具体的な実施形態である。
【図１１】図１０のレベル情報抽出部に対応する品質演算部の具体的な実施形態である。
【図１２】本発明の望ましい他の実施形態による信号品質測定装置の機能ブロック図である。
【図１３】図１２に図示されたレベル情報抽出部の実施形態である。
【図１４】図１２に図示されたレベル情報抽出部の実施形態である。
【図１５】サンプリング方式を説明するためのタイミング図である。
【図１６】サンプリング方式を説明するためのタイミング図である。
【図１７】本発明の望ましい実施形態による信号品質測定方法のフローチャートである。
【発明を実施するための形態】
【００１８】
以下、添付された図面を参照しつつ、本発明の望ましい実施形態について詳細に説明する。
【００１９】
図１は、本発明の望ましい一実施形態による信号品質測定装置１００の機能ブロック図である。信号品質測定装置１００は、光ディスクから読み取ったアナログ信号（ＲＦ信号）をデジタル信号に変換して処理する装置に含まれうる。図１に図示された信号品質測定装置１００は、二進信号生成部１１０、レベル情報抽出部１２０及び品質演算部１３０を含む。
【００２０】
二進信号生成部１１０は、入力信号から二進信号（binary  signal）を生成する。このために、二進信号生成部１１０は、比較器を含むことができる。または、二進信号生成部１１０は、比較器の性能を向上させるために、入力信号を改善させるように、比較器の前に、等化器（equalizer）を含むことができる。また、二進信号生成部１１０は、二進信号のエラー率を低下させるために、入力信号の形態に基づいて二進信号を判別するビタビ・デコーダ（Viterbi  decoder）を含むことができる。
【００２１】
一般的にビタビ・デコーダの場合、入力信号が特定形態を取っているという仮定下で、二進信号を生成するために、特定形態を作るために、等化器、あるいは等化器の係数が可変になる適応型等化器が使われもする。等化器の場合、一般的にＦＩＲ（finite  impulse  response）フィルタによって構成されるが、特定周波数帯の信号を改善させるための形態で使われ、ノイズ低減のための形態のような多様な形態の信号改善のための等化器が２個以上使われもする。このように、二進信号生成部１１０は多様に具現され、前述の例に制限されるものではない。
【００２２】
図２は、図１に図示された二進信号生成部１１０の具現例である。図２を参照するに、二進信号生成部１１０は、適応的等化器２０１、ビタビ・デコーダ２０２及び適応的基準レベル生成器２０３を含む。
【００２３】
適応的等化器２０１は、前述の適応型等化器と同様なものであり、等化器係数が適応的に可変になりつつ入力信号を等化する。
【００２４】
ビタビ・デコーダ２０２は、光ディスクの記録密度が高くなるほど、二進信号を生成するのに多くのエラーが発生するために、これを克服するために、ＰＲＭＬ（partial  response  maximum  likelihood）方式で入力信号の形態をチェックし、いずれの二進信号で生成された理想的な信号が、入力信号の形態と最も近接しているかを判断し、二進信号を生成する方法を使用する。ＰＲＭＬ方式を使用するために、二進信号で生成された理想的な信号に合うように、入力信号の特性を改善させる作業が必要であるが、このために、一般的に等化器が使われ、さらに高い性能を得るために、適応型等化器２０１が使われうる。
【００２５】
適応的基準レベル生成器２０３は、入力信号と、ビタビ・デコーダ２０２によって生成された二進信号とを利用し、適応的な基準レベル（adaptive  reference  level）を生成する。このために、適応的基準レベル生成器２０３は、図３に図示されたように構成されうる。図３は、図２に図示された適応的基準レベル生成器２０３の一例である。
【００２６】
図３を参照するに、適応的基準レベル生成器２０３は、複数の遅延器を利用して、入力信号を遅延させる遅延部３０１、二進信号を遅延させるための複数の遅延器と、二進信号を遅延させるための複数の遅延器とから出力される信号に基づいて、選択信号を生成する選択信号生成器を含む選択信号生成部３０２、選択信号生成部３０２から生成された選択信号によって、入力信号のレベルを選択する選択部３０３、及び選択部３０３を介して入力される信号の平均値をフォローした結果を、適応的な基準レベルとして出力する適応的基準レベル出力部３０４を含む。
【００２７】
図１のレベル情報抽出部１２０は、二進信号と入力信号との関係から、レベル情報を抽出するものであり、チャネル識別器（channel  identifier）と定義することができる。レベル情報抽出部１２０は、さまざまなチャネル特性に対応するために、２つ以上のウインドウ長（window  length）を利用してレベル情報を抽出する。ウインドウ長は、ウインドウ・サイズ（window  size）と定義することができる。２つ以上のウインドウ長は、チャネル特性によって設定されうる。例えば、２つ以上のウインドウ長は、入力信号の最大ランレングス（maximum  run-length）と最小ランレングス（minimum  run-length）とによって設定されうる。
【００２８】
レベル情報抽出部１２０は、ウインドウ長別に分けて構成されうる。すなわち、２つのウインドウ長を利用してレベル情報を抽出するとき、レベル情報抽出部１２０は、各ウインドウ長当たり、一つずつ割り当てられるように構成されうる。レベル情報抽出部１２０は、２つ以上のウインドウ長を利用して、該当するランレングスの長に対応するレベル情報を抽出する。
【００２９】
図４は、図１に図示されたレベル情報抽出部１２０の一例である。図４のレベル情報抽出部１２０は、２つのウインドウ長を利用して、それぞれのレベル情報を抽出する例である。図４のレベル情報抽出部１２０は、２つのウインドウ長を使用して、信号品質の演算に必要なレベル情報だけを抽出することによって、全体的に、アルゴリズムの複雑度を下げつつ、所望の情報を得ることができる。
【００３０】
図４は、それぞれのランレングスに該当する情報を抽出するために、二進信号のうち、両端が１であり、中間部分が０で満たされたランレングス・パターンと、両端が０であり、中間部分が１で満たされたランレングス・パターンと、をチェックし、二進信号に該当する入力信号のレベル情報を抽出する場合である。２つ以上のウインドウ長を利用して、レベル情報を抽出することによって、単一ウインドウを使用する場合、抽出されたレベル情報が不正確であって、全体チャネル特性を反映させることができないという問題を解決することができる。
【００３１】
レベル情報抽出部１２０は、各周期別信号の特性を測定できるように、各周期に該当するウインドウ長を使用する構造を有することができ、特定周期の信号の特性を抽出するために、１つのウインドウ長が使われる構造を有することができる。もし１つのウインドウ長を使用する場合、レベル情報抽出部１２０は、両端が１であり、中間部分が０で満たされたパターンをチェックし、二進信号に該当する入力信号のレベル情報を抽出することができる。従って、抽出されるレベル情報数は、減少しうる。
【００３２】
図４に図示されたレベル情報抽出部１２０は、ウインドウ長Ａ基盤の第１レベル情報抽出器４１０と、ウインドウ長Ｂ基盤の第２レベル情報抽出器４１０とを含む。第１レベル情報抽出器４１０は、入力信号を遅延させる複数の遅延器（Ｄ）４１１、二進信号を遅延させるためのウインドウ長Ａに対応する複数の遅延器（Ｄ）４１２、複数の遅延器４１２から出力される信号に基づいて、第１パターンに対する二進信号をチェックする第１パターンチェック器４１３、第１パターンチェック器４１３から出力されるチェック結果によって、複数の遅延器４１１から出力される信号を選択して伝送する選択器４１４、選択器４１４を介して伝送される入力信号の平均値をフォローしてレベル情報を出力する平均値フィルタ群４１５を含む。平均値フィルタ群４１５から出力されるレベル情報は、ウインドウ長Ａ−２のランレングスを有する周期信号のレベル情報に対応する。
【００３３】
第２レベル情報抽出器４２０は、二進信号を遅延させるためのウインドウ長Ｂに対応する複数の遅延器４２２を含むことを除外すれば、第１レベル情報抽出器４１０と類似して構成される。第２レベル情報抽出器４２０から抽出されるレベル情報は、ウインドウ長Ｂ−２のランレングスを有する周期信号のレベル情報に対応する。レベル情報は、レベル値と定義することができる。
【００３４】
レベル情報抽出部１２０が、図４に図示されたようなものであるとき、図１の品質演算部１３０は、抽出されたレベル情報に基づいて、必要な情報を演算する。従って、品質演算部１３０は、情報演算部（information  calculation  unit）と定義することができる。図５は、図４に図示されたレベル情報抽出部１２０に対応する品質演算部５３０の一例である。
【００３５】
図５の品質演算部５３０は、レベル情報に基づいて、多様な形態の情報を演算することができるが、代表的なものとして、入力信号の非対称性（asymmetry）値；最低周波数信号の振幅比と、最高周波数信号の振幅比とを示す変調度（modulation  ratio）；を演算する例を図示している。非対称性の場合、信号の振幅対比で、最高周波数成分信号の直流平均値が位置したところの程度を数値で示したものであるので、これを求めるためには、特定ランレングス信号の最大値及び最小値、並びに他のランレングス信号の平均値を求めればよい。
【００３６】
すなわち、図５の場合、下記式（１）によって、非対称性値を得る。
【００３７】
非対称性値＝（（入力Ａ＋入力Ｄ）／２−（入力Ｂ−入力Ｃ）／２）／（入力Ａ−入力Ｄ）        （１）
また、図５の場合、下記式（２）によって変調度を得る。
【００３８】
変調度＝（入力Ｂ−入力Ｃ）／（入力Ａ−入力Ｄ）      （２）
このように、２つ以上のウインドウ長によって抽出されたレベル情報を使用する場合、必要なレベル情報だけを使用するために、アルゴリズムが複雑ではなく、かつ正確なレベル情報を基に信号の品質を正確に測定することができる。
【００３９】
図１に図示された品質演算部１３０で得ることができる品質情報は、非対称性値及び変調度以外にも、多様な形態の情報を演算することができる。例えば、入力信号の振幅であったり、ビタビ・デコーダ２０２に必要なブランチ・メトリック（branch  metric）の基本になるレベルなどの非線形性のような情報も演算することができ、レベルの変動事項に基づいて、信号に歪曲があったり欠陥などがあることを検出できる機能も使用することができる。言い換えれば、２つ以上のウインドウ長に対応する多様な形態のレベル情報に基づいて、入力信号から得ようとする品質（または特性）を測定するあらゆる方法が、品質演算部１３０によって行われうる。
【００４０】
図６及び図７は、図４及び図５に図示されたレベル情報抽出部１２０と、品質演算部５３０との具体的な実施形態であり、ウインドウ長４とウインドウ長１０とに係わるチャネル特性を抽出した例である。ＢＤ（blu-ray  disc）の場合、最小ランレングスが２であり、最大ランレングスが８であるが、同期パターンを合せるためのシンクパターンの場合、最大ランレングスが９も存在する。この場合、８Ｔと２Ｔとの情報だけを抽出するために、図６のように、ランレングス８（ウインドウ長１０−２）と、ランレングス２（ウインドウ長４−２）とに該当するレベル情報だけを抽出して使用する場合、９Ｔ部分ではない８Ｔ部分の信号特性を正確に反映することができる。
【００４１】
図７は、非対称性演算及び変調度演算の例であり、入力信号の最大値／最小値から平均値を求め、最高周波数成分に該当する信号の平均値を求め、平均値を入力信号の最大値／最小値で割ることにより、非対称性値を演算（式（１）による）する。入力信号の最大値／最小値は、長いウインドウ長を有するレベル情報から抽出され、最高周波数成分のレベル情報は、短いウインドウ長を有するレベル情報から抽出され、入力信号の正確な特性を抽出することができる。また、式（２）によって、変調度を演算する。
【００４２】
図８は、図１のレベル情報抽出部１２０の他の実施形態であり、図４に図示された例のように、２つのウインドウ長を利用して、レベル情報を抽出することは同一であるが、図４でのように、決まったランレングス・パターンを基盤とせず、マルチレベル情報を抽出する。図８の場合には、２つのウインドウ長を利用して、レベル情報を抽出する例であるが、入力信号の特徴によって、３つ以上の多様な種類のウインドウ長を利用するレベル情報抽出部を構成することができる。
【００４３】
図９は、図８のようなレベル情報抽出部に対応する図１の品質演算部１３０の一例である。従って、図９に図示された品質演算部９３０は、図８のようなレベル情報抽出部から抽出されたレベル情報をもって、多様な形態の情報を演算することができるが、入力信号の非対称性値及び変調度を演算する。図９の演算器９０３は、ウインドウ長Ｂの入力信号がいずれも１である場合に検出されたレベル情報９１１、ウインドウ長Ｂの入力信号がいずれも０である場合に検出されたレベル情報９１２、及び第１平均値検出器９０１及び第２平均値検出器９０２に基づいて、特定周期の信号が入力された場合に検出されたレベル情報９１３，９１４に基づいて、下記式（３）及び式（４）を利用して、非対称性値と変調度とを演算する。
【００４４】
非対称性値＝（（最上位レベル（ＵＬ）＋最下位レベル（ＬＬ））／２−（上位中間レベル（ＵＭＬ）−下位中間レベル（ＬＭＬ））／２）／（最上位レベル（ＵＬ）−最下位レベル（ＬＬ））      （３）
変調度＝（上位中間レベル（ＵＭＬ）−下位中間レベル（ＬＭＬ））／（最上位レベル（ＵＬ）−最下位レベル（ＬＬ））      （４）
式（３）及び式（４）での最上位レベル情報（ＵＬ）は９１１であり、最下位レベル情報（ＬＬ）は９１２であり、上位中間レベル情報（ＵＭＬ）は９１３であり、下位中間レベル情報（ＬＭＬ）は９１４であると定義することができる。上位及び下位の中間レベル情報９１３，９１４は、他のデジタル和値（digital  sum  value）を有する。デジタル和値とは、入力信号が１である場合に＋１、０である場合に−１を対応させていずれも合算した値である。例えば、１１００１という値が入力されたとすれば、デジタル和値は＋１＋１−１−１＋１＝＋１である。上位及び下位の中間レベル情報９１３，９１４は、それぞれ第１平均値検出器９０１及び第２平均値検出器９０２によって、それぞれ入力信号の平均値を検出して獲得される。第１平均値検出器９０１に入力される信号は、ＤＳＶ＝Ｍ１と、ランレングス＝Ｐ１とを有する各信号のレベル情報であり、第２平均値検出器９０２に入力される信号は、ＤＳＶ＝Ｍ２と、ランレングス＝Ｐ２とを有する各信号のレベル情報であり、Ｐ１とＰ２は、同じ数でありうる。
【００４５】
図１０及び図１１は、図８及び図９に対応する具体的な例であり、ウインドウ長を５及び８に設定した例である。図１０の例について述べれば、ウインドウ長５である場合、最大３２のレベル情報が得られ、ウインドウ長８である場合には、最大２５６のレベル情報を得ることができる。もちろん、かようなレベル情報を全部使用するのではなく、品質演算部１３０で必要なレベル情報だけを抽出して使用する。
【００４６】
例えば、非対称性値を得る場合、入力信号の最大値と最小値とに該当するレベルが必要であるために、ウインドウ長８である場合には、レベル１１１１１１１１とレベル００００００００とに該当するレベルだけを演算すればよい。レベル００００００００という意味は、二進信号００００００００が得られた場合、この二進信号に該当する入力信号の振幅を意味し、一般的に、二進信号が全て０である場合、入力信号は、最小値を有する。反対に、レベル１１１１１１１１という意味は、二進信号１１１１１１１１が得られた場合、これに該当する入力信号の振幅を意味し、一般的に、二進信号が全て１である場合、入力信号は、最大値を有する。換言すれば、ウインドウ長８である場合、最大２５６のレベルが得られるが、このうち品質演算に必要な２つのレベル情報だけを使用できる。
【００４７】
ウインドウ長５である場合に得られたレベル情報を使用する場合、最高周波数成分信号のレベルを抽出することができる。もし最小ランレングスが２である場合、言い換えれば、二進信号で０や１が少なくとも２回反復される場合を考慮するならば、これに該当するレベルの場合、レベル１００１１、レベル１１００１、レベル０１１００、レベル００１１０などが、最小ランレングス２が含まれたレベル情報の種類であると考えることができる。従って、このような種類のレベル情報をもって最高周波数に該当するレベル情報を使用することができるが、一般的に、場合の数が多くなるという短所を有しており、特定システムの場合には、最小ランレングスが何回か反復されることを禁止する場合もあるために、特定レベルの場合、存在しない場合もありうるが、２つ以上のウインドウ長を利用して、レベル情報を抽出することによって、このような問題を克服されうる。
【００４８】
図１１は、図１０で抽出されたレベル情報に基づいて、非対称性値と変調度とを求める、図１に図示された品質演算部１３０の一例である。図１１の品質演算部１１３０は、入力信号の最大値／最小値から平均値を求め、最高周波数成分に該当する信号の平均値を求め、これを入力信号の最大値／最小値で割ることによって非対称性値を演算する。入力信号の最大値／最小値は、長いウインドウ長を有するレベル情報から抽出（レベル１１１１１１１１、レベル００００００００）され、最高周波数成分のレベル情報は、短いウインドウ長を有するレベル情報から抽出（レベル１００１１、レベル１１００１、レベル０１１００、レベル００１１０）され、図１１の品質演算部１３０は、入力信号の正確な特性を抽出することができるように構成される。非対称性は、最小ランレングスを有する信号のレベルと、最大ランレングスを有する信号のレベルとの非対称性値を演算して得ることができる。図１１の品質演算部１１３０は、図９の第１平均値検出器９０１に対応し、ランレングス＝２とＤＳＶ＝＋１とを有するレベル１００１１及びレベル１１００１の平均値を演算する第１平均値検出器１１０１と、図９の第２平均値検出器９０２に対応し、ランレングス＝２とＤＳＶ＝−１とを有するレベル０１１００、レベル００１１０の平均値を演算する第２平均値検出器１１０２、及び図９の演算器９０３に対応し、式（３）及び式（４）を使用して、非対称性と変調度とを演算する演算器１１０３を含む。
【００４９】
図１２は、本発明の信号品質測定装置の他の例１２００であり、サンプリング方式によってレベル情報抽出方式を決定して運用する例である。従って、図１２に図示された二進信号生成部１２０１、品質演算部１２０３は、図１に図示された二進信号生成部１１０及び品質演算部１３０と同一に構成されて動作するので、以下説明を省略する。
【００５０】
レベル情報抽出部１２０２は、図１３及び図１４のように構成される。サンプリング方式が、図１５に図示されているように０点を含む場合、ウインドウ長４  １３０２とウインドウ長１０  １３３２とを基盤とするレベル情報抽出部１３１０，１３３０を動作させ、図１６に図示されたように０点を含まない場合、ウインドウ長５  １３２２とウインドウ長１１  １３４２とを基盤とするレベル情報抽出部１３２０，１３４０が動作されるように、レベル情報抽出部１２０２を動作させる。
【００５１】
レベル情報抽出部１２０２の動作方式は、各レベル情報抽出器１３１０，１３２０，１３３０，１３４０の動作をサンプリング方式によってイネーブルさせたり、入力信号及び二進信号の入力をサンプリング方式によって選択的に伝送するように構成することができる。図１３及び図１４は、各レベル情報抽出器１３１０，１３２０，１３３０，１３４０の動作をサンプリング方式によってイネーブルさせる例である。サンプリング方式は、二進信号生成部１２０１以前に位置したＡ／Ｄ変換器（図示せず）で行われるものである。Ａ／Ｄ変換機（図示せず）は、入力信号をデジタル信号に変換する。従って、レベル情報抽出部１２０２に入力される入力信号は、等化前の信号やＡ／Ｄ変換器出力された信号でありうる。
【００５２】
図１７は、本発明の一実施形態による信号品質測定方法のフローチャートである。図１７を参照するに、まず、入力信号から二進信号を生成する（１５０１）。入力信号から二進信号を生成するのは、図１の二進信号生成部１１０で説明した通りである。
【００５３】
次に、少なくとも２つ以上のウインドウ長を利用して、入力信号のレベル情報を抽出する（１５０２）。少なくとも２つ以上のウインドウ長を利用して、入力信号のレベル情報を抽出するのは、図４、図８、及び図１３及び図１４に基づいた実施形態のうち一つに対応する方式によって行われる。従って、品質演算に必要なレベル情報だけを抽出する。
【００５４】
抽出されたレベル情報を利用して、入力信号の品質を演算する（１５０３）。入力信号の品質演算は、図１の品質演算部１３０で説明した通りである。
【００５５】
本発明の一実施形態による信号品質測定方法を行うためのプログラムは、コンピュータで読み取り可能な記録媒体に、コンピュータが読み取ることができるコードとして具現することが可能である。コンピュータが読み取ることができる記録媒体は、コンピュータ・システムによって読み取り可能なデータが保存されるあらゆる種類の保存装置を含む。コンピュータが読み取ることができる記録媒体の例としては、ＲＯＭ（read-only  memory）、ＲＡＭ（random-access  memory）、ＣＤ−ＲＯＭ、ＤＶＤ（digital  versatile  disc）、blu-rayディスク、磁気テープ、フロッピー（登録商標）ディスク、光データ保存装置などがある。また、コンピュータが読み取ることができる記録媒体は、ネットワークに連結されたコンピュータ・システムに分散され、分散方式でコンピュータが読み取ることができるコードとして保存されて実行されうる。以上、本発明についてその望ましい実施形態を中心に述べた。本発明が属する技術分野で当業者であるならば、本発明が本発明の本質的な特性から外れない範囲で変形された形態で具現されうることを理解することができるであろう。従って、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれたものであると解釈されねばならない。
【図１】
0005612657.tif 000002
【図２】
0005612657.tif 000003
【図３】
0005612657.tif 000004
【図４】
0005612657.tif 000005
【図５】
0005612657.tif 000006
【図６】
0005612657.tif 000007
【図７】
0005612657.tif 000008
【図８】
0005612657.tif 000009
【図９】
0005612657.tif 000010
【図１０】
0005612657.tif 000011
【図１１】
0005612657.tif 000012
【図１２】
0005612657.tif 000013
【図１３】
0005612657.tif 000014
【図１４】
0005612657.tif 000015
【図１５】
0005612657.tif 000016
【図１６】
0005612657.tif 000017
【図１７】
0005612657.tif 000018